(57)【要約】【課題】  漏れが発生しにくく、締め付け感も少なく、着用者、介護者のいずれでも装着しやすい吸収性物品を提供する。【解決手段】  透液性の表面シート２と不透液性の裏面シート３との間に吸収マット４Ａ，４Ｂが介装されて、股下部Ｒと前部Ｆと後部Ｂとから構成される外側吸収性物品５が設けられ、この外側吸収性物品５の表面シート２の上に、男性排尿器を挿入して包み込むための長手方向に長い開口部９が幅方向の中央部に形成されてなる包み込みユニット６が接合されて、この包み込みユニット６の開口部９の少なくとも両側に吸収体７が設けられている。【選択図】  図１
2005168967.tif 000002
【特許請求の範囲】
【請求項１】
透液性の表面シートと不透液性の裏面シートとの間に吸収マットが介装されて、股下部と前部と後部とから構成される外側吸収性物品が設けられ、この外側吸収性物品の表面シートの上に、男性排尿器を挿入して包み込むための長手方向に長い開口部が幅方向の中央部に形成されてなる包み込みユニットが接合されていることを特徴とする吸収性物品。
【請求項２】
上記包み込みユニットの開口部の少なくとも両側に吸収体が設けられている請求項１記載の吸収性物品。
【請求項３】
上記包み込みユニットの開口部の周囲と上記外側吸収性物品との間にポケットが形成されている請求項１または２記載の吸収性物品。
【請求項４】
上記開口部は、長手方向に長いスリット形状若しくは長方形状である請求項１〜３のいずれか１項に記載の吸収性物品。
【請求項５】
上記開口部は、長手方向に長い楕円形状である請求項１〜３のいずれか１項に記載の吸収性物品。
【請求項６】
上記開口部は、外側吸収性物品の前部の位置に形成されている請求項１〜５のいずれか１項に記載の吸収性物品。
【請求項７】
上記開口部の横幅は、５０ｍｍ以下である請求項１〜６のいずれか１項に記載の吸収性物品。
【請求項８】
上記包み込みユニットの開口部の両側には、長手方向に延在する伸縮性部材が添設されている請求項１〜７のいずれか１項に記載の吸収性物品。
【請求項９】
上記外側吸収性物品の吸収マットには、上記開口部のほぼ真下位置に溝状穴が形成されている請求項１〜８のいずれか１項に記載の吸収性物品。
【発明の詳細な説明】
【技術分野】
【０００１】
本発明は、男性用に最適な吸収性物品に関する。
【背景技術】
【０００２】
従来、内側おむつを外側おむつの上に重ねて使用する使い捨ておむつがある（例えば、特許文献１参照）。
【０００３】
また、袋体の開口穴に男性排尿器を挿入する尿取りパッドがある（例えば特許文献２参照）。
【特許文献１】特開平５−１２３３６１号公報
【特許文献２】特開２０００−２０１９５９号公報
【発明の開示】
【発明が解決しようとする課題】
【０００４】
しかしながら、特許文献２では、袋体の開口穴に男性排尿器を挿入するものであるから、個人差に対応していないので保持が十分でなかった。そのため、少しの身体の動きによって男性排尿器が抜け外れやすく、仰臥位時であっても、排泄物の重みによって股下に尿取りパッドがずれ落ちやすいので、漏れが発生することがあった。また、男性排尿器を開口穴に挿入するので、締め付け感があって不快であった。さらに、着用者でも装着しづらく、介護者ではなお装着しずらいという問題があった。
【０００５】
本発明は、上記問題を解消するためになされたもので、漏れが発生しにくく、締め付け感も少なく、着用者、介護者のいずれでも装着しやすい吸収性物品を提供することを課題とするものである。
【課題を解決するための手段】
【０００６】
上記課題を解決するために、本発明は、透液性の表面シートと不透液性の裏面シートとの間に吸収マットが介装されて、股下部と前部と後部とから構成される外側吸収性物品が設けられ、この外側吸収性物品の表面シートの上に、男性排尿器を挿入して包み込むための長手方向に長い開口部が幅方向の中央部に形成されてなる包み込みユニットが接合されていることを特徴とする吸収性物品を提供するものである。
【０００７】
請求項２のように、上記包み込みユニットの開口部の少なくとも両側に吸収体が設けられている構成とすることが好ましい。
【０００８】
請求項３のように、上記包み込みユニットの開口部の周囲と上記外側吸収性物品との間にポケットが形成されている構成とすることが好ましい。
【０００９】
請求項４のように、上記開口部は、長手方向に長いスリット形状若しくは長方形状である構成とすることが好ましい。
【００１０】
請求項５のように、上記開口部は、長手方向に長い楕円形状である構成とすることが好ましい。
【００１１】
請求項６のように、上記開口部は、外側吸収性物品の前部の位置に形成されている構成とすることが好ましい。
【００１２】
請求項７のように、上記開口部の横幅は、５０ｍｍ以下である構成とすることが好ましい。
【００１３】
請求項８のように、上記包み込みユニットの開口部の両側には、長手方向に延在する伸縮性部材が添設されている構成とすることが好ましい。
【００１４】
請求項９のように、上記外側吸収性物品の吸収マットには、上記開口部のほぼ真下位置に溝状穴が形成されている構成とすることが好ましい。
【発明の効果】
【００１５】
本発明によれば、外側吸収性物品に、開口部を形成した包み込みユニットを接合することにより、外側吸収性物品に対して包み込みユニットが前後左右のいずれの方向にもずれなくなる。そして、包み込みユニットの開口部に着用者の男性排尿器を挿入すると、包み込みユニットに男性排尿器が包み込まれるので、前後左右のいずれの方向の漏れも有効に防止できるようになる。また、仰臥位時には、外側吸収性物品の後部を着用者の臀部の下に敷き込むとともに、包み込みユニットの開口部に着用者の男性排尿器を挿入することで、包み込みユニットが前後左右のいずれの方向にもずれなくなる。さらに、開口部は長手方向に長いので、締め付け感が少なく、着用者、介護者のいずれでも装着しやすくなる。なお、男性排尿器とは、睾丸と陰茎とを含むことを意味する。
【００１６】
請求項２によれば、包み込みユニットの開口部の少なくとも両側に吸収体を設けることにより、開口部に挿入した男性排尿器全体が吸収体で覆われるので、排尿口と吸収体とが常に密着して、尿を瞬時的に吸収できるようになる。
【００１７】
請求項３によれば、包み込みユニットの開口部の周囲と外側吸収性物品との間にポケットを形成することにより、開口部に挿入した男性排尿器全体がポケットで包み込まれるので、男性排尿器の保持が確実になる。
【００１８】
請求項４〜６によれば、開口部を長手方向に長いスリット形状若しくは長方形状や楕円形状にしたり、外側吸収性物品の前部の位置に形成することにより、男性排尿器の挿入がより簡単になる。
【００１９】
請求項７によれば、開口部の横幅を５０ｍｍ以下にすることにより、男性排尿器が包み込みユニットの開口部から外れにくくなる。
【００２０】
請求項８によれば、包み込みユニットの開口部の両側に伸縮性部材を配置することにより、包み込みユニットの包み込み力が増して、漏れを有効に防止できるとともに、開口部から外部に漏れにくくなるので、排泄物が肌に接するのを防止することができる。
【００２１】
請求項９によれば、開口部のほぼ真下の吸収マットに溝状穴を形成することにより、排泄物が溝状穴に沿って長手方向に拡散しやすくなるとともに、裏面シート側に落とし込むことができるので、排泄物が肌に接するのを防止することができる。
【発明を実施するための最良の形態】
【００２２】
以下、本発明を実施するための最良の形態について、図面を参照しながら詳細に説明する。
【００２３】
図１および図２は第１実施形態の男性用吸収性物品１Ａであり、ひょうたん型尿パッドの形態である。この吸収性物品１Ａには、透液性の表面シート２と不透液性の裏面シート３との間に上下２層の吸収マット４Ａ，４Ｂが介装され、表面シート２と裏面シート３の周囲が封止されて、股下部Ｒと前部Ｆと後部Ｂとから構成される外側吸収性物品５が設けられている。
【００２４】
上記吸収マット４Ａ，４Ｂは、図２（ａ）に示すように、外側吸収性物品５の外形状をほぼ相似的に縮小した外形状に形成されている。
【００２５】
上記外側吸収性物品５の表面シート２の上には、包み込みユニット６が接合されている。この包み込みユニット６は、外側吸収性物品５の長手方向にほぼ等しい長さの長方形状のシート８の内端８ａを下向きに折り返して封止し、この封止空間に、図２（ｂ）に示すように、上記吸収マット４Ａ，４Ｂの長手方向にほぼ等しい長さの吸収体７を収納している。また、封止空間の内端部には、長手方向に延在する伸縮性部材１０が添設されている。
【００２６】
この吸収体７を収納したシート８は、左右一対が設けられて、外側吸収性物品５の表面シート２の長手方向に長い長方形状の開口部９が幅方向の中央部に形成されるように、吸収体７側同士を対向させて、外端８ｂを表面シート２の上に接合している。これにより、包み込みユニット６の開口部９の両側に吸収体７が設けられることになり、伸縮性部材１０は、開口部９の両側に位置することになる。上記開口部９の横幅Ｗは、５０ｍｍ以下であることが好ましい。
【００２７】
また、包み込みユニット６の開口部９の周囲と外側吸収性物品５に表面シート２との間にポケット１１が形成されるようになる。
【００２８】
また、上記外側吸収性物品５の上側の吸収マット４Ａには、図２（ａ）に示すように、開口部９のほぼ真下位置で、前部Ｆと股下部Ｒとに跨る長さで溝状穴４ａが形成されている。なお、後述する第２実施形態のように、上側と下側の吸収マット４Ａ，４Ｂの双方に、溝状穴４ａを形成することもできる。また、吸収マットは１層でも良いし、３層以上であっても良い。また、溝状穴４ａは、開口部９の長さよりも長く形成してある方が、長手方向への尿の拡散性が増して効果的である。
【００２９】
第１実施形態では、外側吸収性物品５の長手方向の全長に亘って包み込みユニット６が接合され、開口部９も外側吸収性物品５の長手方向の全長に亘って形成されることになる。
【００３０】
上記外側吸収性物品５の両側部には、左右一対のサイドフラップ１２が設けられ、このサイドフラップ１２は、内端１２ａを下向きに折り返して封止し、この封止空間に、長手方向に延在する立体ギャザー用伸縮性部材１３が添設されるとともに、外端１２ｂを表面シート２と裏面シート３とに跨って接合している。このサイドフラップ１２により、横漏れを確実に防止できるようになる。なお、サイドフラップ１２の外端１２ｂは、表面シート２の上に接合することもできる。
【００３１】
第１実施形態の吸収性物品１Ａであれば、外側吸収性物品５に、開口部９を形成した包み込みユニット６を接合しているから、外側吸収性物品５に対して包み込みユニット６が前後左右のいずれの方向にもずれなくなる。
【００３２】
そして、包み込みユニット６の開口部９に着用者の男性排尿器を挿入すると、包み込みユニット６に男性排尿器が包み込まれるので、前後左右のいずれの方向の漏れも有効に防止できるようになる。
【００３３】
また、仰臥位時には、外側吸収性物品５の後部Ｂを着用者の臀部の下に敷き込むとともに、包み込みユニット６の開口部９に着用者の男性排尿器を挿入することで、包み込みユニット６が前後左右のいずれの方向にもずれなくなる。
【００３４】
さらに、開口部９は長手方向に長いので、締め付け感が少なく、着用者、介護者のいずれでも装着しやすくなる。
【００３５】
また、包み込みユニット６の開口部９の両側に吸収体７を設けているから、開口部９に挿入した男性排尿器全体が吸収体７で覆われるので、排尿口と吸収体７とが常に密着して、尿を瞬時的に吸収できるようになる。
【００３６】
さらに、包み込みユニット６の開口部９の周囲と外側吸収性物品５との間にポケット１１を形成したから、開口部９に挿入した男性排尿器全体がポケット１１で包み込まれるので、男性排尿器の保持が確実になる。
【００３７】
また、開口部９を長手方向に長い長方形状に形成したから、男性排尿器の挿入がより簡単になる。
【００３８】
さらに、開口部９の横幅Ｗを５０ｍｍ以下にしたから、男性排尿器が包み込みユニット６の開口部９から外れにくくなる。
【００３９】
また、包み込みユニット６の開口部９の両側に伸縮性部材１０を配置したから、包み込みユニット６の包み込み力が増して、漏れを有効に防止できるとともに、開口部９から外部に漏れにくくなるので、排泄物が肌に接するのを防止することができる。
【００４０】
さらに、開口部９のほぼ真下の吸収マット４Ａに溝状穴４ａを形成したから、排泄物が溝状穴４ａに沿って長手方向に拡散しやすくなるとともに、裏面シート３側に落とし込むことができるので、排泄物が肌に接するのを防止することができる。
【００４１】
図３〜図５は第２実施形態の男性用吸収性物品１Ｂであり、第１実施形態の吸収性物品１Ａと相違するのは、包み込みユニット６は、外側吸収性物品５の長手方向にほぼ等しい長さで、吸収マット４Ａ，４Ｂとほぼ等しい幅の長方形状のシート８に、前部Ｆと股下部Ｒの約半分とに跨る長さで、長手方向に長い楕円形状の開口部９が幅方向の中央部に形成されている。そして、この開口部９に沿うように開口した逆Ｕ字形状の吸収体７〔図５（ｂ）参照〕をシート８の裏面側に配置して、別のシート１４で挟み込んで接合している。上記吸収体７には、開口部９に対応する長穴７ａが形成されている。
【００４２】
また、シート８，１４の封止空間の開口部９の内端部には、長手方向に延在する伸縮性部材１０が添設されている。
【００４３】
また、上記外側吸収性物品５の上側と下側の吸収マット４Ａ，４Ｂの双方に、図５（ａ）に示すように、開口部９のほぼ真下位置で、前部Ｆと股下部Ｒの約半分とに跨る長さで溝状穴４ａが形成されている。
【００４４】
第２実施形態では、外側吸収性物品５の長手方向の全長に亘って包み込みユニット６が接合されているが、開口部９は、前部Ｆと股下部Ｒの約半分との跨る長さで形成されることになる。また、吸収体７は、開口部９のほぼ全周囲に形成されることになる。
【００４５】
第２実施形態の吸収性物品１Ｂでも第１実施形態の吸収性物品１Ａと同様の作用効果を奏することができる。
【００４６】
図６および図７は第３実施形態の男性用吸収性物品１Ｃであり、第１実施形態の吸収性物品１Ａと相違するのは、包み込みユニット６は、外側吸収性物品５の前部Ｆの長手方向にほぼ等しい長さで、吸収マット４Ａ，４Ｂよりも狭幅の長方形状のシート８に、前部Ｆの約２／３の長さで、長手方向に長いスリット形状の開口部９が幅方向の中央部に形成されている。そして、この開口部９に沿うように楕円形状に開口した吸収体７〔図７（ｂ）参照〕をシート８の裏面側に配置して、別のシート（不図示）で挟み込んで接合している。上記吸収体７には、開口部９に対応する長穴７ｂが形成されている。
【００４７】
また、シート８と別体のシート（不図示）との間の封止空間の開口部９の内端部には、長手方向に延在する伸縮性部材１０が添設されている。
【００４８】
また、上記外側吸収性物品５の上側と下側の吸収マット４Ａ，４Ｂの双方に（第１実施形態のように、上側の吸収マット４Ａのみでも良い。）、図７（ａ）に示すように、開口部９のほぼ真下位置で、前部Ｆの約２／３の長さで溝状穴４ａが形成されている。
【００４９】
第３実施形態では、外側吸収性物品５の前部Ｆのみに包み込みユニット６が接合されていて、開口部９は、前部Ｆの約２／３の長さで形成されることになる。また、吸収体７は、開口部９の全周囲に形成されることになる。
【００５０】
第３実施形態の吸収性物品１Ｃでも第１実施形態の吸収性物品１Ａと同様の作用効果を奏することができるとともに、包み込みユニット６が外側吸収性物品５の前部Ｆのみに接合されているから、ゴワゴワ感が少なくなる。
【００５１】
上記各実施形態では、外側吸収性物品５はひょうたん型尿パッドであったが、外側吸収性物品５として、図８（ａ）に示すように、後部Ｂのファスニングテープ１６を前部Ｆに係止して組み立てるテープ型使い捨ておむつ１Ｄであっても良く、図８（ｂ）に示すように、前部Ｆと後部Ｂの両側をサイドシール５ａで接合して組み立てるパンツ型おむつ１Ｅであっても良い。なお、図８（ａ）（ｂ）において、１７はウエスト用伸縮性部材、１８はボディフィット用伸縮性部材、１９はレッグ用伸縮性部材である。
【００５２】
上記表面シート２は、着用者の排泄物を素早く捕捉して、吸収マット４Ａ，４Ｂに移行させる必要があるため、透液性のシート材料が好ましい。より好ましくは、親水性繊維（セルロース、レーヨン、コットン等）を用いた不織布材料、あるいは疎水性繊維（ポリプロピレン、ポリエチレン、ポリエステル、ポリアミド、ナイロン等）の表面を界面活性剤により処理し透液性とした不織布材料、あるいは開孔を有するプラスチックフィルム等、通常使い捨ておむつに使われる透液性のシート材料が用いられる。
【００５３】
上記裏面シート３は、吸収マット４Ａ，４Ｂで吸収した排泄物が外側にしみ出すのを防ぐため、撥水性のシート材料若しくは液不透過性のシート材料が好ましい。より好ましくは、通常使い捨ておむつに用いられる撥水性不織布材料（スパンボンド不織布、メルトブロー不織布、ＳＭＳ不織布等）やプラスチックフィルム（通気性であっても非通気性であっても良いが、より快適な態様としては通気性プラスチックフィルムが望ましい）やその複合材料が用いられる。
【００５４】
上記サイドフラップ１２は、主に撥水性若しくは液不透過性のシート状材料が好ましい。より好ましくは、通常使い捨ておむつに用いられる撥水性不織布材料（スパンボンド不織布、メルトブロー不織布、ＳＭＳ不織布等）やプラスチックフィルム（通気性であっても非通気性であっても良いが、より快適な態様としては通気性プラスチックフィルムが望ましい）やその複合材料が用いられる。
【００５５】
上記伸縮性部材１０と立体ギャザー用伸縮性部材１３は、通常使い捨ておむつに用いられる弾性伸縮材料（ポリウレタン糸、ポリウレタンフィルム、天然ゴム等）が用いられる。
【００５６】
上記各材料の接合のための接着剤としては、天然ゴム系、ブチルゴム系、ポリイソプレン等のゴム系、ＳＩＳ、ＳＢＳ、ＳＩＢＳ、ＳＥＢＳ、ＳＥＰＳ等のスチレン系エラストマー、エチレン・酢酸ビニルコポリマー（ＥＶＡ）、ポリエステル、アクリル系、ポリオレフィン系等のホットメルト接着剤が用いられる。吸水後の高分子吸水性樹脂の脱落を防げる程度に接着力の強いものが好ましい。吸水を阻害しないために網状体に形成されることが望ましい。網状体を形成するには、複数のノズルから溶融状態の接着剤を糸状に吐出する方法（メルトブロー法、スパイラルスプレー法、オメガコート法）が簡便で望ましい。
【００５７】
また、各材料の接合方法としては、ホットメルト接着剤、超音波シール、熱接合等の方法が適時に用いられる。ホットメルト接着剤については、ゴム系、ポリオレフィン系、酢酸ビニル系等のホットメルト接着剤から適切に選定され、直接的なコーター塗布、間接的なスパイラル塗布、メルトブロー（カーテンスプレー）塗布、ビード塗布等の方法で塗布することができる。
【００５８】
上記吸収マット４Ａ，４Ｂと吸収体７は、粉砕したパルプ繊維やセルロース繊維等の親水性繊維集合層に粒状の高分子吸水体を混合した吸収性コアを、ティッシュペーパーなどの紙シートあるいは透液性不織布シート等の被覆シートで包んで、所定形状（長方形、砂時計型、ひょうたん型等）に成形した吸収体である。上記繊維や高分子吸水体をシート状に成形したシート状吸収体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【図面の簡単な説明】
【００５９】
【図１】第１実施形態の吸収性物品であり、（ａ）は平面図、（ｂ）は（ａ）のＤ−Ｄ線断面図である。
【図２】（ａ）は吸収マットの平面図、（ｂ）は吸収体の平面図である。
【図３】第２実施形態の吸収性物品であり、（ａ）は平面図、（ｂ）は（ａ）のＤ−Ｄ線断面図である。
【図４】図３（ａ）のＥ−Ｅ線断面図である。
【図５】（ａ）は吸収マットの平面図、（ｂ）は吸収体の平面図である。
【図６】第３実施形態の吸収性物品の平面図である。
【図７】（ａ）は吸収マットの平面図、（ｂ）は吸収体の平面図である。
【図８】（ａ）（ｂ）は、それぞれ外側吸収性物品の変形例の平面図である。
【符号の説明】
【００６０】
１Ａ〜１Ｃ  吸収性物品
２      表面シート
３      裏面シート
４Ａ，４Ｂ  吸収マット
４ａ    溝状穴
５      外側吸収性物品
６      包み込みユニット
７      吸収体
９      開口部
１０    伸縮性部材
１１    ポケット
Ｒ      股下部
Ｆ      前部
Ｂ      後部
【図１】
2005168967.tif 000003
【図２】
2005168967.tif 000004
【図３】
2005168967.tif 000005
【図４】
2005168967.tif 000006
【図５】
2005168967.tif 000007
【図６】
2005168967.tif 000008
【図７】
2005168967.tif 000009
【図８】
2005168967.tif 000010